(57)【要約】【課題】汎用的な常用メールクライアントソフトウェア（常用メーラー）により携帯電話のメールの発着信及び表示閲覧を行うことができるようにする。【解決手段】携帯電話メールサーバソフトウェア１は、コンピュータ装置２セットアップしたインターネットメールの常用メーラー５とコンピュータ装置２に直付け接続した携帯電話３との間で標準インターネットメール送受信プロトコルと携帯電話メール発着信プロトコルとの差を吸収し、双方向のデータ受け渡しを確立しかつ携帯電話３を制御するアプリケーション・プログラミング・インターフェイスとし、送信処理部１３及び受信処理部１９により構成し、携帯電話を直付けしたコンピュータ装置を携帯電話メールサーバとして機能させ、常用メーラー５上で携帯電話３の発信メール６′を送信メール６として作成及び送信し、また着信メール１６を受信メール２０として取得、表示、及び閲覧を行う。【選択図】　　　　図２
2004080324.tif 000002
【特許請求の範囲】
【請求項１】
コンピュータ装置に直付け接続した携帯電話を電話／モデム機能の単なる通信端末としてではなく、携帯電話自体を携帯電話メールサービスのメール発着信のためのメールサーバとして機能させ、前記携帯電話のメールアドレスからの発信メールの作成・発信及び前記携帯電話メールアドレスに対する着信メールの取得・表示を前記コンピュータ装置の入出力装置で行うよう前記コンピュータ装置にセットアップする制御プログラムである携帯電話メールサーバソフトウェアにおいて、
前記制御プログラムを、
前記コンピュータ装置及び／又はこのコンピュータ装置にＬＡＮ接続した他のコンピュータ装置にセットアップされている汎用的な電子メールのための常用メールクライアントソフトウェアと前記コンピュータ装置に直付け接続した携帯電話との間で、標準のインターネットメール送受信プロトコルと携帯電話メール発着信プロトコルとの差を吸収し、双方向のデータ受け渡しを確立しかつ前記携帯電話を制御するアプリケーション・プログラミング・インターフェイスとして構成し、
前記アプリケーション・プログラミング・インターフェイスは、
前記汎用的な常用メールクライアントソフトウェアで作成した送信メールに関する前記汎用的な常用メールクライアントソフトウェアからの送信要求に基づいて、前記送信メールのデータを、先ず前記標準のインターネットメール送信プロトコルで受け取り、次にこの送信メールのデータを、携帯電話メール発信プロトコルに従って前記携帯電話の発信メール用メモリ領域に転送するとともに、発信制御信号を前記携帯電話の制御部に伝送することによって携帯電話を制御して前記携帯電話の発信メール用メモリ領域から携帯電話網経由で送信先のメールサーバに送信する送信処理部分と、
前記汎用的な常用メールクライアントソフトウェアからの着信メール取得要求に基づいて受信制御信号を前記携帯電話の制御部に伝送することにより、前記携帯電話網から着信して前記携帯電話の着信メール用メモリ領域に格納された着信メール又は前記携帯電話を制御して前記携帯電話網から取得して前記携帯電話の着信メール用メモリ領域に格納された着信メールのデータを、先ず携帯電話メール着信プロトコルで受け取り、次に前記標準のインターネットメール受信プロトコルに従って前記汎用的な常用メールクライアントソフトウェアの受信メール用メモリ領域に転送する受信処理部と
を有するものとして構成した
ことを特徴とする携帯電話メールサーバソフトウェア。
【請求項２】
コンピュータ装置に直付け接続した携帯電話を電話／モデム機能の単なる通信端末としてではなく、携帯電話自体を携帯電話メールサービスのメール発着信のためのメールサーバとして機能させ、前記携帯電話のメールアドレスからの発信メールの作成・発信及び前記携帯電話メールアドレスに対する着信メールの取得・表示を前記コンピュータ装置の入出力装置で行う携帯電話メール管理システムにおいて、
前記コンピュータ装置及び／又はこのコンピュータ装置にＬＡＮ接続した他のコンピュータ装置にセットアップする汎用的な電子メールのための常用メールクライアントソフトウェアと、
前記コンピュータ装置にセットアップする制御プログラムであって、前記汎用的な常用メールクライアントソフトウェアと前記コンピュータ装置に直付け接続した携帯電話との間で、標準のインターネットメール送受信プロトコルと携帯電話メール発着信プロトコルとの差を吸収し、双方向のデータ受け渡しを確立しかつ前記携帯電話を制御するアプリケーション・プログラミング・インターフェイスである制御プログラムと
を具え、
前記アプリケーション・プログラミング・インターフェイスは、
前記汎用的な常用メールクライアントソフトウェアで作成した送信メールに関する前記汎用的な常用メールクライアントソフトウェアからの送信要求に基づいて、前記送信メールのデータを、先ず前記標準のインターネットメール送信プロトコルで、次に携帯電話メール発信プロトコルに従って前記携帯電話の発信メール用メモリ領域に転送するとともに、発信制御信号を前記携帯電話の制御部に伝送することにより携帯電話を制御してこの携帯電話の発信メール用メモリ領域から携帯電話網経由で送信先のメールサーバに送信する送信処理部と、
前記汎用的な常用メールクライアントソフトウェアからの着信メール取得要求に基づいて、受信制御信号を前記携帯電話の制御部に伝送することにより、前記携帯電話網から着信して前記携帯電話の着信メール用メモリ領域に格納された着信メール又は前記携帯電話を制御して取得して携帯電話の着信メール用メモリ領域に格納された着信メールのデータを、先ず携帯電話メール着信プロトコルで受け取り、次に前記標準のインターネットメール受信プロトコルに従って前記汎用的な常用メールクライアントソフトウェアの受信メール用メモリ領域に転送する受信処理部と
を有するものとして構成した
ことを特徴とする携帯電話メール管理システム。
【請求項３】
前記コンピュータ装置と前記携帯電話との直付け接続を有線の接続ケーブルを介して行う請求項２記載の携帯電話メール管理システム。
【請求項４】
前記コンピュータ装置に前記携帯電話を直付け接続するための接続ケーブルは、前記送受信データ及び制御信号のための伝送路と、前記携帯電話の電源に対する又は電源充電のための給電路とを有するものとして構成した請求項３記載の携帯電話メール管理システム。
【請求項５】
前記コンピュータ装置と前記携帯電話との直付け接続を無線送受信手段を介して行う請求項２記載の携帯電話メール管理システム。
【請求項６】
請求項２乃至５のうちのいずれか一項に記載の携帯電話メール管理システムを使用する方法において、このシステムを携帯電話受注Ｗｅｂサーバ環境内に組み込み、受注管理者によって発注元携帯電話からの発注に対して汎用的な常用メールクライアントソフトウェア上で作成された、又はＷｅｂアプリケーションにより自動生成された確認メールを、前記携帯電話受注Ｗｅｂサーバ環境内の任意のコンピュータ装置に直付け接続した携帯電話から、携帯電話網経由で発注元携帯電話に発信するようにしたことを特徴とする携帯電話メール管理システムの利用方法。
【請求項７】
請求項２乃至５のうちのいずれか一項に記載の携帯電話メール管理システムを使用する方法において、このシステムを携帯電話業務連絡サーバ環境に組み込み、外回り業務スタッフとの間の業務連絡メール文を汎用的な常用メールクライアントソフトウェアを使用して作成して前記サーバ環境内の任意のコンピュータ装置に直付け接続した携帯電話から、携帯電話網経由で外回り業務スタッフの携帯電話に発信し、また外回り業務スタッフは業務連絡管理者に対して前記コンピュータ装置に直付け接続した携帯電話等に携帯電話網を介して直接音声で業務報告する、又は外回り業務スタッフの携帯電話で作成した業務報告メール文を携帯電話網経由で前記サーバ環境内の任意のコンピュータ装置に直付け接続した携帯電話に発信し、業務連絡管理者が前記サーバ環境内で前記汎用的な常用メールクライアントソフトウェアのメールボックスに取得して業務管理を行うようにしたことを特徴とする携帯電話メール管理システムの利用方法。
【発明の詳細な説明】
【０００１】
【発明の属する技術分野】
本発明は、コンピュータ装置に直付け接続した携帯電話を電話／モデム機能の単なる通信端末としてではなく、携帯電話自体を携帯電話メールサービスのメール発着信のためのメールサーバとして機能させ、前記携帯電話のメールアドレスからの発信メールの作成・発信及び前記携帯電話メールアドレスに対する着信メールの取得・表示を前記コンピュータ装置の入出力装置で行うよう前記コンピュータ装置にセットアップする制御プログラムである携帯電話メールサーバソフトウェアに関するものである。
【０００２】
更に、本発明は、このような携帯電話メールサーバソフトウェアをコンピュータ装置に組み込んだ携帯電話メール管理システム及びその使用方法に関するものである。
【０００３】
【従来の技術】
従来のこのような携帯電話メールサーバソフトウェア及び携帯電話メール管理システムとしては、図１に示すように、携帯電話を直付けするコンピュータ装置において、携帯電話のメールアドレスでの発信メールの作成・発信から、携帯電話のメールアドレスに対する着信メールの取得及び表示にいたるまで一貫して行う専用アプリケーションソフトウェアがあった。
【０００４】
【発明が解決しようとする課題】
【０００５】
しかし、このような従来の専用アプリケーションソフトウェアでは、日頃常用して慣れ親しんでいる通常電子メール用の一般的なメールクライアントソフトウェアとは異なる操作体系及びユーザー・インターフェイスであり、別途操作を習得する必要があった。
【０００６】
更に、従来の専用アプリケーションソフトウェアでは、機能の一部を分離することはできず、処理の一部、例えば、電子メールの作成のみ、又は電子メールの表示のみを、携帯電話を直付け接続したコンピュータ装置とは別の、ＬＡＮ上の他のコンピュータ装置においてこの携帯電話のメールアドレスに関する発信メールの作成・発信及び着信メールの取得及び表示等の電子メールの管理を行うことはできなかった。
【０００７】
従って、本発明の目的は、日頃慣れ親しんでいる汎用的な常用メールクライアントソフトウェアにより、コンピュータ装置に直付け接続した携帯電話のメールアドレスに関する発信メールの作成・発信及び着信メールの取得及び表示を行うことができるとともに、携帯電話を直付け接続したコンピュータ装置以外の、ＬＡＮ上の他のコンピュータ装置からでも、操作に慣れ親しんでいる汎用的な常用メールクライアントソフトウェアによって携帯電話のメールアドレスに関する電子メールの管理を行うことができる携帯電話メールサーバソフトウェア及びこの携帯電話メールサーバソフトウェアをコンピュータ装置に組み込んだ携帯電話メール管理システム及びその使用方法を得るにある。
【０００８】
【課題を解決するための手段】
この目的を達成するため、本発明は、携帯電話を直付け接続したコンピュータ装置にセットアップする制御プログラムである携帯電話メールサーバソフトウェアにおいて、
前記制御プログラムを、
前記コンピュータ装置及び／又はこのコンピュータ装置にＬＡＮ接続した他のコンピュータ装置にセットアップされている通常電子メールのための汎用的な常用メールクライアントソフトウェアと前記コンピュータ装置に直付け接続した携帯電話との間で、標準のインターネットメール送受信プロトコルと携帯電話メール発着信プロトコル（独自手順）との差を吸収し、双方向のデータ受け渡しを確立しかつ前記携帯電話を制御するアプリケーション・プログラミング・インターフェイスとして構成し、
前記アプリケーション・プログラミング・インターフェイスは、
前記汎用的な常用メールクライアントソフトウェアで作成した送信メールに関する前記汎用的な常用メールクライアントソフトウェアからの送信要求に基づいて、前記送信メールのデータを、先ず前記標準のインターネットメール送受信プロトコルで受け取り、次ぎに携帯電話メール発信プロトコルに従って前記携帯電話の発信メール用メモリ領域に転送するとともに、発信制御信号を前記携帯電話の制御部に伝送することによって前記携帯電話を制御して前記携帯電話の発信メール用メモリ領域から携帯電話網経由で送信先のメールサーバに送信する送信処理部と、
前記汎用的な常用メールクライアントソフトウェアからの着信メール取得要求に基づいて受信制御信号を前記携帯電話の制御部に伝送することにより、前記携帯電話網から着信して前記携帯電話の着信メール用メモリ領域に格納された着信メール又は前記携帯電話を制御して前記携帯電話網から取得して前記携帯電話の着信メール用メモリ領域に格納された着信メールのデータを、先ず携帯電話メール着信プロトコルで取得し、次に標準のインターネットメール受信プロトコルに従って前記汎用的な常用メールクライアントソフトウェアの受信メール用メモリ領域に転送する受信処理部と
を有するものとして構成した
ことを特徴とする。
【０００９】
更に、本発明は、携帯電話のメールアドレスからの発信メールの作成・発信及び携帯電話メールアドレスに対する着信メールの取得・表示を、この携帯電話を直付け接続したコンピュータ装置の入出力装置で行う携帯電話メール管理システムにおいて、
前記コンピュータ装置及び／又はこのコンピュータ装置にＬＡＮ接続した他のコンピュータ装置にセットアップする通常電子メールのための汎用的な常用メールクライアントソフトウェアと、
前記コンピュータ装置にセットアップする制御プログラムであって、前記汎用的な常用メールクライアントソフトウェアと前記コンピュータ装置に直付け接続した携帯電話との間で、標準のインターネットメール送受信プロトコルと携帯電話メール発着信プロトコルとの差を吸収し、双方向のデータ受け渡しを確立しかつ前記携帯電話を制御するアプリケーション・プログラミング・インターフェイスである制御プログラムと
を具え、
前記アプリケーション・プログラミング・インターフェイスは、
前記汎用的な常用メールクライアントソフトウェアで作成した送信メールに関する前記汎用的な常用メールクライアントソフトウェアからの送信要求に基づいて、前記送信メールのデータを、先ず前記標準のインターネットメール送信プロトコルで受け取り、次に携帯電話メール発信プロトコルに従って前記携帯電話の発信メール用メモリ領域に転送するとともに、発信制御信号を前記携帯電話の制御部に伝送することにより携帯電話を制御してこの携帯電話の発信メール用メモリ領域から携帯電話網経由で送信先のメールサーバに送信処理部と、
前記汎用的な常用メールクライアントソフトウェアからの着信メール取得要求に基づいて、受信制御信号を前記携帯電話の制御部に伝送することにより、前記携帯電話網から着信して前記携帯電話の着信メール用メモリ領域に格納された着信メール又は前記携帯電話を制御して前記携帯電話網から取得して前記携帯電話の着信メール用メモリ領域に格納された着信メールのデータを、先ず携帯電話メール着信プロトコルで取得し、次に前記標準のインターネットメール受信プロトコルに従って前記汎用的な常用メールクライアントソフトウェアの受信メール用メモリ領域に転送する受信処理部と
を有するものとして構成した
ことを特徴とする。
【００１０】
本発明携帯電話メールサーバソフトウェア、及びこの携帯電話メールサーバソフトウェアをコンピュータ装置に組み込んだ携帯電話メール管理システムによれば、制御プログラムを、一貫した単一の専用メールソフトウェアではなく、ユーザーインターフェイスであるメールソフトウェアとコンピュータ装置に直付け接続した携帯電話との間に介在するアプリケーション・プログラミング・インターフェイス、いわゆる「ミドルウェア」として構成し、メールソフトウェアと本発明携帯電話メールサーバソフトウェアとの間のデータ送受信を、通常のインターネットメールソフト（メーラー）がインターネットメールサーバに対して行う標準の送受信プロトコル（例えば、ＳＭＴＰ及びＰＯＰ３等）で行い、本発明携帯電話メールサーバソフトウェアと携帯電話との間のデータ送受信を、携帯電話固有の携帯電話メール発着信プロトコル（独自手順）に基づいて行う。
【００１１】
従って、本発明によれば、ユーザーはブラックボックス的な携帯電話に固有の携帯電話メール発着信プロトコルを意識することなく、メールソフトとして操作に慣れ親しんでいる汎用的な常用メールクライアントソフトウェアを使用して、普通のインターネットメール感覚で設定及び操作することができるとともに、携帯電話を直付け接続したコンピュータ装置のみならず、このコンピュータ装置を接続したＬＡＮ上の他のコンピュータ装置からでも、操作に慣れ親しんでいる汎用的な常用メールクライアントソフトウェアを利用して携帯電話のメールアドレスに関する発信メールの作成・発信及び着信メールの取得及び表示を含めて携帯電話の電子メールを管理することができる。
【００１２】
携帯電話の直付け接続は、接続ケーブルを使用して、コンピュータ装置に内蔵したシリアルポート又はＵＳＢに携帯電話に接続することにより行う。また、コンピュータ装置と前記携帯電話との直付け接続をケーブル（有線）ではなく、無線送受信手段を介して行ってもよい。接続ケーブルの場合、送受信データ及び制御信号のための伝送路と、携帯電話の電源に対する又は電源を充電するための給電路とを有するものとして構成すると好適である。
【００１３】
本発明携帯電話メール管理システムの使用方法は、このシステムを携帯電話受注Ｗｅｂサーバ環境内に組み込み、受注管理者によって発注元携帯電話からの発注に対して汎用的な常用メールクライアントソフトウェア上で作成された、又はＷｅｂアプリケーションにより自動生成された確認メールを、前記携帯電話受注Ｗｅｂサーバ環境内の任意のコンピュータ装置に直付け接続した携帯電話から、携帯電話網経由で発注元携帯電話に発信するようにしたことを特徴とする。
【００１４】
通常、インターネットを介して受注Ｗｅｂサイトに注文すると、このＷｅｂサイトは発注元のメールアドレスに注文確認のための注文明細をメールで発信する。この確認メールにより変更がなければ受発注契約が成立し、受注Ｗｅｂサイトを運営する事業者は、注文された品物を発注元に納品する。
【００１５】
しかし、このインターネット上の受注Ｗｅｂサイトが携帯電話からの注文を受ける場合、インターネットを利用して確認メールを発注元の携帯電話に発信するとき、必ず、発注元の携帯電話の携帯電話事業者のゲートウェイサーバを通過することになる。このゲートウェイサーバは、インターネットを介して送られてくる大量迷惑メール、ウイルス配信等の迷惑行為及び不正行為を監視及び排除するためのもので、ゲートウェイサーバを通過してから携帯電話網により、確認メールが発注元の携帯電話に配信される場合、上述の迷惑行為及び不正行為の回避及び排除のために遅延の恐れがある。
【００１６】
しかし、上述の本発明携帯電話メール管理システムの使用方法によれば、インターネット経由でなく、従って、ゲートウェイサーバが介在することなく直接、携帯電話網のみを経由して確認メールが発注元の携帯電話に配信されるので、確認メールが遅延なく配信される。
【００１７】
更に、本発明携帯電話メール管理システムの使用方法は、このシステムを携帯電話業務連絡サーバ環境に組み込み、外回り業務スタッフとの間の業務連絡メール文を汎用的な常用メールクライアントソフトウェアを使用して作成して前記サーバ環境内の任意のコンピュータ装置に直付け接続した携帯電話から、携帯電話網経由で外回り業務スタッフの携帯電話に発信し、また外回り業務スタッフは業務連絡管理者に対して前記コンピュータ装置に直付け接続した携帯電話等に携帯電話網を介して直接音声で業務報告する、又は外回り業務スタッフの携帯電話で作成した業務報告メール文を携帯電話網経由で前記サーバ環境内の任意のコンピュータ装置に直付け接続した携帯電話に発信し、業務連絡管理者が前記サーバ環境内で前記汎用的な常用メールクライアントソフトウェアの送受信メール用メモリ領域に取得して業務管理を行うようにしたことを特徴とする。
【００１８】
この使用方法においても、インターネットを介することなく携帯電話網のみにより業務連絡及び業務報告を行うことができるため、遅滞のない連絡及び報告を行うことができる。
【００１９】
【発明の実施の形態】
次に、図面につき本発明の好適な実施の形態を説明する。
【００２０】
本発明携帯電話メールサーバソフトウェア１は、図２に示すように、コンピュータ装置２に携帯電話３を直付け接続することを前提条件とする。この直付け接続のためには、例えば、コンピュータ装置２の通常のシリアル（ＲＳ２３２Ｃ）ポート又はＵＳＢポート（図示せず）と携帯電話３の外部機器接続ポート（図示せず）とを接続する接続ケーブル４を使用する。この接続ケーブル４は、送受信データ及び制御信号のための伝送路と、携帯電話３の電力供給又はバッテリを充電するための給電路とを有するものとして構成すると好適である。
【００２１】
また、コンピュータ装置２と携帯電話３との直付け接続は、利用できる接続ポート形態に応じて、接続ケーブル４のような有線ではなく、無線ポートを介して送受信を行うこともできる。
【００２２】
本発明携帯電話メールサーバソフトウェア１は、コンピュータ装置２に直付け接続した携帯電話３をモデム／ダイアルアップ機能の単なる通信接続端末としてではなく、携帯電話自体を携帯電話メールサービスのメール発着信のためのメールサーバとして機能させるようコンピュータ装置２にセットアップする制御プログラムであり、これにより携帯電話のメールアドレスからの発信メールの作成・発信及び携帯電話メールアドレスに対する着信メールの取得・表示をコンピュータ装置２上で行う。
【００２３】
本発明によれば、コンピュータ装置２にセットアップしたこの携帯電話メールサーバソフトウェア（制御プログラム）１は、コンピュータ装置２にセットアップされている汎用的な電子メールのための常用メールクライアントソフトウェア５（以下「常用メーラー」と称する）と、コンピュータ装置２に接続ケーブル４等により直付け接続した携帯電話３との間で、常用メーラー５及び携帯電話３の双方に対して標準のインターネットメール送受信プロトコル及び携帯電話メール発着信プロトコル（独自手順）の差を吸収し、双方向のデータ受け渡しを確立しかつ携帯電話を制御するアプリケーション・プログラミング・インターフェイスとして構成する。この常用メーラー５の代表的なものとしては、マイクロソフト（登録商標）社の「Ｏｕｔｌｏｏｋ　Ｅｘｐｒｅｓｓ（登録商標）」や、ジャストシステム（登録商標）社の「Ｓｈｕｒｉｋｅｎ（登録商標）」がある。
【００２４】
常用メーラー５とコンピュータ装置２に接続ケーブル４等により直付け接続した携帯電話３との間のアプリケーション・プログラミング・インターフェイスである本発明携帯電話メールサーバソフトウェア（制御プログラム）１は、この常用メールクライアントソフトウェア５で作成した送信メール６に関してユーザー２６による常用メールクライアントソフトウェア５からのメール送信要求７に応じて、先ず送信メール６のデータをインターネットメール送信プロトコル（例えば、ＳＭＴＰ）で受け取り、次に携帯電話に固有の携帯電話メール発信プロトコル（独自手順）に従って発信メール６′として携帯電話３の発信メール用メモリ領域８に転送するとともに、発信制御信号９を携帯電話３の制御部１０に送ることにより携帯電話を制御し、携帯電話３の発信メール用メモリ領域８から携帯電話網中継局１１を経由して携帯電話局メールサーバ１２に、又はインターネットを経由して送信先メールサーバ１２′に送信する送信処理部１３を有する。
【００２５】
更に、本発明携帯電話メールサーバソフトウェア１は、ユーザー２６による常用メーラー５からのメール取得要求１４に基づいて、受信制御信号１５を携帯電話３の制御部１０に伝送することにより、携帯電話３に着信して携帯電話３の着信メール用メモリ領域１７に保存された着信メール１６、又は携帯電話３を制御して携帯電話網中継局１１を経由して携帯電話局メールサーバ１２から携帯電話３の着信メール用メモリ領域１７に取得した着信メール１６のデータを、携帯電話３の着信メール用メモリ領域１７から、先ず携帯電話に固有の携帯電話メール着信プロトコル（独自手順）で受け取り、次に標準のインターネットメール受信プロトコル（例えば、ＰＯＰ３）に従って常用メーラー５の受信メール用メモリ領域（受信トレイ）１８に受信メール２０として転送する受信処理部１９を有する。
【００２６】
常用メールクライアントソフトウェア５の受信メール用メモリ領域（受信トレイ）１８に転送された着信メール１６を、ユーザー２６は使い慣れたこの常用メールクライアントソフトウェア５の表示機能により受信メール２０として閲覧し、また必要に応じてプリントアウトする。
【００２７】
本発明携帯電話メールサーバソフトウェア１によれば、従来のような携帯電話メール作成・発着信・閲覧のための独自専用ソフトウェアではないので、携帯電話３を直付け接続したコンピュータ装置２のみならず、このコンピュータ装置２のＬＡＮ環境２１に接続されている他のコンピュータ装置２２〜２４等においても、これら他のコンピュータ装置２２〜２４等にセットアップされた常用メーラー５からも、携帯電話３におけるメールの作成・発着信・表示閲覧をすることができる。
【００２８】
本発明携帯電話メールサーバソフトウェア１によれば、携帯電話３を直付けしたコンピュータ装置２にセットアップしてスタンドアローンで使用する場合、常用メーラー５で設定すべき送受信メールサーバのＩＰアドレス指定は、自分自身にＩＰパケットを送るための特別なＩＰアドレスであるループバック・アドレスを設定する。また、ＬＡＮ環境の他のコンピュータ装置２２〜２４における常用メーラー５で設定すべき送受信メールサーバのＩＰアドレス指定は、携帯電話３を直付けしたコンピュータ装置２のＬＡＮ上のＩＰアドレスを設定する。
【００２９】
【実施例】
上述のような携帯電話メール管理システムを使用する方法としては、このシステムを携帯電話受注Ｗｅｂサーバ２５のＬＡＮ環境２１内に組み込み、ユーザーである受注管理者２６によって発注元携帯電話２７からの発注に対して常用メーラー５上で送信メール６として作成された、又はＷｅｂアプリケーションにより自動生成された受注確認用のメールを、コンピュータ装置２に直付け接続した携帯電話からの発信メール６′として、携帯電話受注Ｗｅｂサーバ２５のＬＡＮ環境２１内のコンピュータ装置２に直付け接続した携帯電話３から、インターネットを経由させるモデム／ダイアルアップ電話としてではなく、携帯電話網中継局１１のみを経由して発注元携帯電話２７に発信するようにする。
【００３０】
この携帯電話メール管理システムの利用方法によれば、受注確認用の発信メール６′はインターネットを利用して発注元携帯電話２７の携帯電話局のメールサーバを経由することがないため、この携帯電話局のゲートウェイサーバを通過することがなくなり、従って、大量の迷惑メールに巻き込まれることがなくなり、携帯電話網のみにより直接発注元携帯電話２７に遅延なく確実に配信され、発注者２８は遅滞なく発注の確認をとることができる。
【００３１】
更に、携帯電話メール管理システムを使用する他の方法としては、このシステムを携帯電話業務連絡サーバ２５′のＬＡＮ環境２１に組み込み、外回り業務スタッフ２８′との間の業務連絡メールである発信メール６′を、常用メーラー５を使用して先ず送信メール６として作成し、サーバ環境２１内のコンピュータ装置２に直付け接続した携帯電話３から、携帯電話網中継局１１を経由して携帯電話網により外回り業務スタッフ２８′の携帯電話２７′に発信して業務連絡を行う。
【００３２】
また外回り業務スタッフ２８′は業務連絡管理者２６′に対してコンピュータ装置２に直付け接続した携帯電話３等に携帯電話網を介して直接音声で業務報告するか、又は外回り業務スタッフ２８′が携帯電話２７′で作成した業務報告メールを携帯電話網経由でサーバ環境２１内のコンピュータ装置２に直付け接続した携帯電話３に着信メール１６として配信し、業務連絡管理者２６′がサーバ環境２１内で常用メーラー５の受信メール用メモリ領域（受信トレイ）１８に受信メール２０として取得し、表示し、また閲覧して業務管理を行うようにする。
【００３３】
この携帯電話メール管理システムの利用方法によれば、業務連絡及び業務報告メール６、２０はインターネットを利用して携帯電話２７′の携帯電話局のメールサーバを経由することがないため、この携帯電話局のゲートウェイサーバを通過することがなくなり、従って、大量の迷惑メールに巻き込まれることがなくなり、携帯電話網のみにより直接外回り業務スタッフ２８′の携帯電話２７′に遅延なく確実に配信され、外回り業務スタッフ２８′は遅滞なく業務報告を受け取ることができ、また業務連絡管理者２６′も外回り業務スタッフ２８′からの業務報告を遅滞なく受け取ることができる。
【００３４】
このような携帯電話業務連絡メール管理システムは、例えば、バイク便配達員と管理室との間での業務連絡及び業務報告に適用することができる。
【００３５】
【発明の効果】
本発明携帯電話メールサーバソフトウェア、及びこの携帯電話メールサーバソフトウェアをコンピュータ装置に組み込んだ携帯電話メール管理システムによれば、通常のインターネットメールソフト（メーラー）がインターネットメールサーバに対して行う標準のインターネット送受信プロトコル（例えば、ＳＭＴＰ及びＰＯＰ３等）の設定だけで済む汎用的な常用メールクライアントソフトウェア（常用メーラー）をユーザーインターフェイスとして操作することができ、本発明携帯電話メールサーバソフトウェアが携帯電話の制御部との間の携帯電話メール発着信プロトコルに基づくデータ送受信並びに携帯電話メール発着信を行い、携帯電話を直付けしたコンピュータ装置自体を携帯電話メールサーバとして機能させることができる。
【００３６】
換言すれば、本発明携帯電話メールサーバソフトウェアが、標準のインターネットメール送受信プロトコルと携帯電話固有の携帯電話メール発着信プロトコルとの違いを吸収し、携帯電話を直付けしたコンピュータ装置を携帯電話メールサーバにし、かつユーザーは汎用的な常用メールクライアントソフトウェア（常用メーラー）を使用して携帯電話メールを管理することができる。
【００３７】
従って、本発明によれば、携帯電話の発信メール作成を携帯電話キーの煩わしい片手操作をすることなく、操作が楽なキーボード及びメールソフトとして操作に慣れ親しんでいる汎用的な常用メールクライアントソフトウェア（常用メーラー）を使用して送信メールとして作成し、コンピュータ装置に直付け接続した携帯電話のメールアドレスからの発信メールとして発信し、かつ携帯電話に対する着信メールを常用メーラーにおける受信メールとして取得し、また携帯電話の極めて小さいディスプレイではなく、大きなディスプレイで日頃見慣れたグラフィカルユーザーインターフェイスに表示して閲覧を行うことができる。
【００３８】
更に、携帯電話を直付け接続したコンピュータ装置のみならず、このローカルコンピュータ装置以外のＬＡＮ上の他のコンピュータ装置からでも、常用メーラーによって携帯電話のメールアドレスにおける発信メール及び着信メールの管理を行うことができる。
【００３９】
また本発明携帯電話メール管理システムを使用する方法によれば、インターネットを経由することがないため、してゲートウェイサーバを通過することがないため、大量迷惑メールに巻き込まれることがなく、携帯電話メールを使用する受発注や、携帯電話メールを使用する業務連絡及び業務報告を、携帯電話網のみを経由して遅滞なく配信することができるようになる。
【図面の簡単な説明】
【図１】従来の専用携帯電話メール管理ソフトウェアの説明図である。
【図２】本発明による携帯電話メールサーバソフトウェアを使用する携帯電話メール管理システムの説明図である。
【符号の説明】
１　携帯電話メールサーバソフトウェア（制御プログラム）
２　コンピュータ装置
３　携帯電話
４　接続ケーブル
５　常用メールクライアントソフトウェア（常用メーラー）
６　送信メール
６′発信メール
７　メール送信要求
８　発信メール用メモリ領域
９　発信制御信号
１０　制御部
１１　携帯電話網中継局
１２　携帯電話局メールサーバ
１２′送信先メールサーバ
１３　送信処理部
１４　メール取得要求
１５　受信制御信号
１６　着信メール
１７　着信メール用メモリ領域
１８　受信メール用メモリ領域（受信トレイ）
１９　受信処理部
２０　受信メール
２１　ＬＡＮ環境
２２，２３，２４　他のコンピュータ装置
２５　携帯電話受注Ｗｅｂサーバ
２５′携帯電話業務連絡サーバ
２６　ユーザー（受注管理者）
２６′業務連絡管理者
２７　発注元携帯電話
２７′外回り業務スタッフの携帯電話
２８　発注者
２８′外回り業務スタッフ
【図１】
2004080324.tif 000003
【図２】
2004080324.tif 000004